(57)【要約】【課題】効率的に除菌作業を行なうことができる除菌装置を提供する。【解決手段】除菌装置は、天井に形成された点検口を介して天井裏に配置されるノズル６６Ｎから薬液を噴霧して天井裏を除菌する。除菌装置は、封止部材６２より上方においてノズル６６Ｎを配置する取付棒６５及び支持ベース６４と、点検口を封止する封止部材６２と、封止部材６２で点検口の封止状態を保持可能な固定部材６１とを備える設置部材６０を有する。そして、支持ベース６４を点検口枠Ｆ４の状態部に引っ掛けた後、ノズル６６Ｎが付けられた取付棒６５を支持ベース６４に固定する。その後、封止部材６２を天井板Ｃ４の下面に当接させた状態で、固定部材６１を押し上げて回転させることにより、固定部材６１のフック板６１ａを点検口枠Ｆ４の上端部に係止させる。これにより、封止部材６２が点検口を封止し、この封止状態を、固定部材６１によって保持する。【選択図】図６
2020151102.tif 000002
【特許請求の範囲】
【請求項１】
天井に形成された孔を介して天井裏に配置されるノズルから薬液を噴霧して天井裏を除菌する除菌装置であって、
前記孔を封止する封止部材と、
前記封止部材より上方において前記ノズルを配置するための取付部材と、
前記封止部材で前記孔の封止状態を保持可能な固定部材とを備えた設置部材を有することを特徴とする除菌装置。
【請求項２】
前記取付部材は、前記封止部材に取り付けられ、
前記封止部材が前記ノズルを支持することを特徴とする請求項１に記載の除菌装置。
【請求項３】
前記封止部材は、前記ノズルから垂下した薬液を受け止める容器を備えていることを特徴とする請求項１又は２に記載の除菌装置。
【請求項４】
前記固定部材は、前記封止部材を固定し、床に立設させて、前記天井に押圧させるために伸縮可能な支持材を備えることを特徴とする請求項１〜３の何れか１項に記載の除菌装置。
【請求項５】
前記封止部材は、グリッド天井を構成する格子に対応した大きさの形状を有し、
前記固定部材は、前記封止部材を前記格子に押圧して、前記封止部材を固定することを特徴とする請求項４に記載の除菌装置。
【請求項６】
前記固定部材は、前記天井を構成する天井構成部材又は前記天井に設けられた天井点検口を構成する天井点検口構成部材に前記封止部材を係止させる係止部を備えることを特徴とする請求項１〜３の何れか１項に記載の除菌装置。
【請求項７】
前記天井裏における湿度を計測する湿度計と、前記ノズルからの噴霧を制御する制御部とを更に備え、
前記制御部は、前記湿度計が計測した湿度が目標相対湿度となるまで、前記薬液の噴霧を実行することを特徴とする請求項１〜６の何れか１項に記載の除菌装置。
【発明の詳細な説明】
【技術分野】
【０００１】
本発明は、天井裏の除菌を行なうための除菌装置に関する。
【背景技術】
【０００２】
建物の解体や改修工事においては、大量の粉塵が発生する。粉塵中には大量のアスペルギルス胞子が含まれることがあるため、免疫力が低下した患者や高齢者が在室する病院や高齢者施設では、胞子を吸引して感染するアスペルギルス感染症のリスクが高まる。そこで、アスペルギルス菌の飛散を抑制し、アスペルギルス感染症の発症を抑制するための解体方法が検討されている（例えば、特許文献１参照。）。この文献に記載の解体方法では、天井の開口部から挿入して設置した除菌装置の噴霧器の二流体ノズルを用いて、薬液のミスト噴霧を行なうことにより除菌を行なう。
【先行技術文献】
【特許文献】
【０００３】
【特許文献１】特開２０１８−１３１８７８号公報
【発明の概要】
【発明が解決しようとする課題】
【０００４】
特許文献１に記載されているように、薬液のミスト噴霧により除菌を行なう場合、除菌対象の天井裏の湿度が目標相対湿度（例えば８０％）となるように、ミストを噴霧する。この場合、開口部から噴霧が漏れないように、噴霧器を天井に挿入した開口部を、合成樹脂等のシートによって覆っていた。しかしながら、開口部を覆う作業は、手間が掛かり、効率的な除菌作業は困難であった。
【課題を解決するための手段】
【０００５】
上記課題を解決する除菌装置は、天井に形成された孔を介して天井裏に配置されるノズルから薬液を噴霧して天井裏を除菌する除菌装置であって、前記孔を封止する封止部材と、前記封止部材より上方において前記ノズルを配置するための取付部材と、前記封止部材で前記孔の封止状態を保持可能な固定部材とを備えた設置部材を有する。
【発明の効果】
【０００６】
本発明によれば、効率的に除菌作業を行なうことができる。
【図面の簡単な説明】
【０００７】
【図１】第１実施形態における除菌装置の設置部材を説明する斜視図であって、（ａ）は封止前の状態、（ｂ）は封止後の状態を示す。
【図２】第１実施形態における除菌装置の構成を説明するブロック図。
【図３】第２実施形態における除菌装置の設置部材を説明する斜視図であって、（ａ）は封止前の状態、（ｂ）は天井裏における封止後の状態を示す。
【図４】第３実施形態における除菌装置の設置部材の説明図であって、（ａ）は封止前の状態の斜視図、（ｂ）は封止後の正面図、（ｃ）は封止後の要部の拡大側面図。
【図５】第４実施形態における除菌装置の設置部材の説明図であって、（ａ）は封止前の一部を分解した斜視図、（ｂ）は封止後の正面図、（ｃ）は封止後の要部の正面断面図、（ｄ）は要部拡大側面断面図。
【図６】第５実施形態における除菌装置の設置部材の説明図であって、（ａ）は一部分解斜視図、（ｂ）は封止後の正面図、（ｃ）は封止後の要部拡大側面断面図。
【発明を実施するための形態】
【０００８】
（第１実施形態）
以下、図１及び図２を用いて、除菌装置を具体化した第１実施形態を説明する。本実施形態では、天井裏において、除菌効果のある薬液を噴霧することにより、天井裏の除菌を行なう。
【０００９】
図１は、除菌装置の設置部材１０を示している。
図２に示すように、除菌装置２０は、複数の噴霧装置１６を備える。噴霧装置１６は、設置部材１０によって支持されて、天井裏に設置される。設置部材１０及び噴霧装置１６の詳細については、後述する。
【００１０】
除菌装置２０は、コンプレッサ２１、エア分岐部２５、薬液タンク２６、流量計２７、制御部２８、制御パネル２９を備える。コンプレッサ２１は、移動可能であって、空気を圧縮し、圧縮した空気をエア分岐部２５に供給する。本実施形態では、エア分岐部２５、薬液タンク２６、流量計２７、制御部２８、制御パネル２９は、移動可能なカートに搭載される。
【００１１】
エア分岐部２５は、エアホース１７を介して、圧縮空気を各噴霧装置１６に分岐して供給する。このエア分岐部２５には、コンプレッサ２１から供給された圧縮空気の圧力を計測する圧力計（図示せず）が設けられる。
【００１２】
薬液タンク２６は、除菌に用いる薬液を貯蔵し、各噴霧装置１６に薬液を供給する。本実施形態では、次亜塩素酸ナトリウム６％溶液を０．３％〜０．５％となるように希釈した薬液を用いる。更に、薬液タンク２６からの吐出口には、流量計２７を設ける。各流量計２７は、各噴霧装置１６に薬液チューブ１８を介して供給される薬液の流量を計測する。
【００１３】
制御部２８は、エア分岐部２５の供給弁（図示せず）及び薬液タンクの供給弁（図示せず）を制御して、噴霧装置１６への圧縮空気及び薬液の供給を制御する。この制御部２８は、制御パネル２９を介して取得した指示に応じて制御を行なう。
【００１４】
制御パネル２９には、噴霧を開始する開始ボタン、タイマ設定ボタンが含まれる。更に、この制御パネル２９には、噴霧の設定時間、噴霧開始からの経過時間、各噴霧装置１６に薬液を供給した積算流量、エア分岐部２５に供給される圧縮空気の圧力等が表示される。
【００１５】
図１（ａ）に示すように、設置部材１０は、支持材として、伸縮可能な支持棒１１を備える。この支持棒１１の下端部には、支持棒１１を床に自立させるための台座１１ａが設けられる。支持棒１１の上面には、円板形状の封止部材１２が固定される。本実施形態では、支持棒１１の中心軸上に、封止部材１２の中心が位置するように設けられる。封止部材１２は、天井板Ｃ１の丸い孔ｈ１を封止するために、この孔ｈ１よりも大きい。なお、孔ｈ１は、噴霧装置１６が貫通可能な大きさを有する。
【００１６】
封止部材１２の上面の中央には、容器としての桶１３が固定される。桶１３は、上が開口した円筒形状をしており、孔ｈ１よりも小さい。更に、桶１３及び封止部材１２には、これらを貫通するドレイン１４が設けられる。このドレイン１４の下端部には、ドレインコック（図示せず）が設けられる。
【００１７】
封止部材１２の上には、取付板１５が立設される。本実施形態の取付板１５は、天井裏の高さに応じて伸縮可能であって、天井裏の配管等の障害物より上に噴霧装置１６を配置する長さ（例えば８０ｃｍ〜１００ｃｍ）を有する。
【００１８】
取付板１５の上端部は水平方向に延在し、この上端部には噴霧装置１６が取り付けられる。噴霧装置１６は、薬液を一時的に貯蔵するタンクと、ミストを噴霧する複数のノズル１６Ｎとを備える。このノズル１６Ｎとして、本実施形態では、圧縮空気の空気圧により薬液を噴霧する二流体サイフォン式噴霧ノズルを用いる。具体的には、噴霧装置１６として、スプレーイングシステムスジャパン株式会社製のクイックフォッガー（商品名）を用いる。この噴霧装置１６は、圧縮空気の空気圧により、ノズル１６Ｎの時間当たりの噴霧液量を制御することができる。本実施形態では、ノズル１６Ｎは、４方向に配置可能であるため、天井裏の障害物に応じて、２方向（例えば対向する２方向）を選択して、ノズルを配置した後、粒子径が９〜１１μｍのミストを噴霧する。
【００１９】
噴霧装置１６には、エアホース１７及び薬液チューブ１８が接続されている。エアホース１７及び薬液チューブ１８は、封止部材１２を貫通するカプラ（図示せず）を介して、封止部材１２の下方へと延在する。そして、エアホース１７は、エア分岐部２５に接続され、薬液チューブ１８は、薬液タンク２６に接続される。
【００２０】
（除菌方法）
次に、上述した除菌装置を用いた除菌方法について説明する。
まず、除菌する天井裏の形状や面積に応じて、噴霧装置１６の設置位置を決定する。設置位置に対応した天井板Ｃ１に、円形の孔ｈ１を形成する。
【００２１】
そして、図１（ａ）に示すように、孔ｈ１の近傍に、カート及びコンプレッサ２１を配置する。更に、孔ｈ１の真下の床に、設置部材１０の支持棒１１を、縮めた状態で立設させる。このとき、噴霧装置１６を配置する天井裏の高さに応じて取付板１５の長さを調整しておく。
【００２２】
その後、支持棒１１を伸長させることにより、噴霧装置１６を孔ｈ１に貫通させて、桶１３を孔ｈ１に挿入する。そして、封止部材１２を天井の下面に当接させる。これにより、図１（ｂ）に示すように、封止部材１２を用いて、孔ｈ１を封止する。この状態の長さで、支持棒１１を固定する。
以上の設置方法により、すべての噴霧装置１６を、所望の位置に設置する。
【００２３】
そして、コンプレッサ２１を稼働させ、かつ制御パネル２９を操作して、噴霧装置１６に圧縮空気及び薬液を、エアホース１７及び薬液チューブ１８を介して供給する。この場合、噴霧装置１６のノズル１６Ｎから、天井裏に薬液が噴霧されて、除菌が行なわれる。ここで、噴霧装置１６から薬液が垂下した場合、桶１３に受け止められる。
【００２４】
その後、制御部２８は、天井裏の相対湿度が目標相対湿度（例えば８０％）以上になる噴霧終了時間まで噴霧を継続する。この目標相対湿度は、アスペルギルス菌を除菌できる湿度である。また、この噴霧終了時間は、天井裏の面積（容積）に応じて決定される。
【００２５】
そして、噴霧終了時間が経過した場合に、除菌装置２０の制御部２８は、圧縮空気及び薬液の供給を停止する。そして、一定時間（数分）放置した後、ドレインコックを開いて、桶１３に貯留した薬液をドレイン１４から排出する。その後、支持棒１１を縮めることにより、封止部材１２を降下させ、噴霧装置１６を天井裏から取り出す。
【００２６】
本実施形態によれば、以下のような効果を得ることができる。
（１−１）本実施形態では、除菌装置２０の設置部材１０は、噴霧装置１６を取り付けた封止部材１２と、封止部材１２を上端に設けた伸縮可能な支持棒１１とを備える。これにより、支持棒１１を伸長させて、天井板Ｃ１の孔ｈ１に噴霧装置１６を挿入し、封止部材１２を天井に押し付けて孔ｈ１を封止することができる。この状態で、支持棒１１を立設させることにより、孔ｈ１の封止状態を保持することができる。従って、天井裏における噴霧装置１６の配置と、孔ｈ１の封止とを一連作業で実現できるので、除菌作業を効率的に行なうことができる。
【００２７】
（１−２）本実施形態では、封止部材１２の上面には、桶１３が固定される。これにより、噴霧装置１６のノズル１６Ｎから垂下した薬液を、桶１３に蓄積することができる。そして、封止部材１２の取り外し時等に、薬液の天井からの垂下を抑制することができる。
【００２８】
（１−３）本実施形態では、除菌装置２０は、複数の噴霧装置１６を備える。各噴霧装置１６には、エア分岐部２５からの圧縮空気と、薬液タンク２６からの薬液が供給される。これにより、同時に、複数の噴霧装置１６からミスト噴霧を行なうことができる。
【００２９】
（１−４）本実施形態では、封止部材１２には、噴霧装置１６を支持する取付板１５が設けられている。取付板１５は、天井裏の配管等の障害物より上に噴霧装置１６を配置する長さを有する。これにより、ノズル１６Ｎからのミストを、障害物に邪魔されずに効率的に噴霧することができる。
【００３０】
（第２実施形態）
次に、図３を用いて、除菌装置を具体化した第２実施形態を説明する。本実施形態では、システム天井の天井裏を除菌する構成であり、第１実施形態とは、封止部材が異なる。以下の実施形態においては、上記実施形態と同様な部分については、同一の符号を付し、詳細な説明は省略する。
【００３１】
本実施形態において、図３（ａ）に示すように、システム天井は、Ｔバー等の野縁を格子状（グリッド形状）に配置し、格子状の野縁で囲まれた空間のそれぞれを天井板Ｃ２で覆って構成される。なお、野縁の格子の大きさは、４５０ｍｍ角、６００ｍｍ角、６００ｍｍ×１２００ｍｍ等がある。
【００３２】
本実施形態の設置部材３０は、伸縮可能な支持棒１１、封止部材３２、取付板１５、噴霧装置１６を備える。封止部材３２は、天井板Ｃ２とほぼ同じ大きさの四角形状の板部材であって、格子状の野縁で囲まれた空間を封止する。更に、封止部材３２の上には、四角枠形状の桶３３が設けられている。この桶３３は、格子状の野縁で囲まれた空間に挿入可能な大きさを有する。
【００３３】
本実施形態においても、上記実施形態と同様な処理により除菌する。この場合、噴霧装置１６を設置する位置に対応した天井板Ｃ２を取り外し、天井裏に通じる孔ｈ２を区画する。
【００３４】
その後、孔ｈ２の真下の床に、設置部材３０の支持棒１１を立てて配置する。そして、支持棒１１を伸長させて、噴霧装置１６及び封止部材３２等を上昇させる。これにより、図３（ｂ）に示すように、噴霧装置１６を孔ｈ２に貫通させ、かつ封止部材３２を野縁の下面に当接させて孔ｈ２を封止する。その後、コンプレッサ２１を稼働させ、噴霧装置１６のノズル１６Ｎから、薬液を噴霧して除菌を行なう。
【００３５】
本実施形態によれば、上記（１−１）〜（１−４）と同様な効果に加えて、以下の効果を得ることができる。
（２−１）本実施形態では、除菌装置２０の設置部材３０は、グリッド天井の格子の空間に対応する形状の封止部材３２を備える。これにより、天井に孔を設けることなく、グリッド天井の天井裏を効率的に除菌することができる。
【００３６】
（第３実施形態）
次に、図４を用いて、除菌装置を具体化した第３実施形態を説明する。上記第１及び第２実施形態では、伸縮する支持棒１１で支持された封止部材で孔を封止した。本実施形態では、天井に設けた点検口から噴霧装置を天井裏に挿入する。そして、設置部材を、点検口の周囲の枠に掛止させることにより、点検口を封止する。
【００３７】
図４（ａ）に示すように、点検口の天井裏の外周には、四角枠形状の点検口枠Ｆ３が設けられる。また、天井板Ｃ３の天井裏には、複数の野縁Ｍｂ１が配置される。
設置部材４０は、固定部材（係止部）としての複数のスライドフック４１、封止部材４２及び挿入部４３を備える。封止部材４２は、点検口を覆う大きさを有する。封止部材４２の中央には、挿入部４３を設ける。挿入部４３は、点検口に挿入可能な大きさの四角枠形状で構成される。挿入部４３には、４つのスライドフック４１が水平方向に摺動可能に挿入される貫通孔が形成される。本実施形態では、４つのスライドフック４１のうち２つずつ同じ直線上に離間して配置される。
【００３８】
図４（ａ）及び（ｂ）に示すように、封止部材４２の上面で、挿入部４３で囲まれた領域には、取付部材４４ａを設ける。挿入部４３は、滴下した薬液を受ける容器として機能する。取付部材４４ａには、横方向に複数の取付孔が形成される。取付部材４４ａには、スティ４４ｂの下端部及び取付板４５の下端部が、ボルトやナット等の締結具によって固定される。スティ４４ｂの上端部は、取付板４５の中央部に取り付けられ、取付板４５を支持する。取付板４５は、上記第１実施形態の取付板１５と同様な構成をしている。
取付板４５の上端部には、噴霧装置１６が取り付けられる。噴霧装置１６に接続されるエアホース１７及び薬液チューブ１８は、封止部材４２を貫通する。
【００３９】
図４（ｃ）に示すように、スライドフック４１は、上部に突出部４１ａを備えた、ほぼ逆Ｌ字形状の板部材で構成される。突出部４１ａは、設置部材４０の外側に突出する。突出部４１ａの下面は、外側が高くなるように傾斜しており、点検口枠Ｆ３の上端部に引っ掛かる高さで構成される。
スライドフック４１の下端部は、封止部材４２を貫通して、封止部材４２の下面に突出する。この下端部を、挿入部４３に沿って摺動させることができる。
【００４０】
本実施形態において、除菌を行なう場合、点検口を覆う点検扉を取り外し、点検口の近傍に、カート及びコンプレッサ２１を配置する。
そして、噴霧装置１６の設置位置に応じた取付孔の位置を特定し、この取付孔に取付板４５及びスティ４４ｂを係合させて締結具で固定することにより、取付板４５及びスティ４４ｂを固定する。
【００４１】
図４（ａ）に示すように、設置部材４０を点検口の真下に配置する。
次に、図４（ｂ）に示すように、設置部材４０を押し上げて、噴霧装置１６を点検口から天井裏に配置し、封止部材４２を、天井板Ｃ３の下面に当接させる。
【００４２】
次に、図４（ｃ）に示すように、天井板Ｃ３の下面に当接させた状態で、封止部材４２を、スライドフック４１の下端部を摺動させて、点検口枠Ｆ３の上端部に嵌合させる。この結果、噴霧装置１６は天井裏に配置され、封止部材４２で点検口を封止された状態で、設置部材４０は点検口枠Ｆ３に固定される。そして、コンプレッサ２１を稼働させ、噴霧装置１６のノズル１６Ｎから薬液を噴霧して除菌を行なう。なお、噴霧装置１６から薬液が垂れた場合には、この薬液は、挿入部４３で受け止められる。
【００４３】
本実施形態によれば、上記（１−３）、（１−４）と同様な効果に加えて、以下の効果を得ることができる。
（３−１）本実施形態の設置部材４０は、噴霧装置１６を取り付けた封止部材４２と、この封止部材４２の上の挿入部４３に摺動可能に設けた複数のスライドフック４１とを備える。これにより、スライドフック４１を点検口枠Ｆ３の上面に係止させることにより、天井裏に噴霧装置１６を配置するとともに、封止部材４２によって点検口を封止状態に保持することができる。
【００４４】
（３−２）本実施形態では、スライドフック４１は、上部の突出部４１ａの下面が傾斜している。これにより、スライドフック４１を動かしてスライドフック４１を点検口枠Ｆ３に嵌合させることができる。
【００４５】
（３−３）本実施形態では、設置部材４０の封止部材４２には、複数の取付孔が形成された取付部材４４ａが設けられ、この取付部材４４ａには、噴霧装置１６を取り付ける取付板４５と、取付板４５と接続するスティ４４ｂとが取り付けられる。これにより、取付板４５の取付孔との取付位置を調整することができる。
【００４６】
（３−４）本実施形態では、封止部材４２の上面には、挿入部４３が固定される。これにより、ノズル１６Ｎから垂下した薬液を、挿入部４３の内側に蓄積することができるので、封止部材４２の取り外し時等に、薬液の天井からの垂下を抑制することができる。
【００４７】
（第４実施形態）
次に、図５を用いて、除菌装置を具体化した第４実施形態を説明する。上記第３実施形態では、設置部材４０の取付板４５の上端部に、噴霧装置１６を取り付け、更にスライドフック４１で設置部材１０を固定した。本実施形態では、噴霧装置のノズルのみを取付板に取り付け、点検扉を取り外さずに除菌を行なう。
【００４８】
図５（ａ）は、本実施形態の設置部材５０の一部分解斜視図、図５（ｂ）は、設置部材５０の概略正面図、図５（ｃ）は、設置部材５０の要部の一部拡大断面正面図、図５（ｄ）は、設置部材５０の要部の一部拡大断面側面図である。
【００４９】
図５（ａ）及び（ｂ）に示すように、天井に設けられた点検口の天井裏の外周には、四角枠形状の点検口枠Ｆ４が配置されている。点検口を塞ぐように、点検扉Ｄ４が係合部材を介して開閉可能に取り付けられる。
【００５０】
本実施形態の設置部材５０は、複数の固定部材５１、封止部材５２及び挿入部５３を備える。各固定部材５１の詳細は後述する。
図５（ｃ）に示すように、封止部材５２は、点検口において点検扉Ｄ４が開口した領域を覆う大きさを有する。封止部材５２の中央には、四角枠形状に立設した板形状の挿入部５３が設けられる。挿入部５３は、滴下した薬液を受ける容器として機能する。
【００５１】
図５（ａ）に示すように、挿入部５３の各角には、固定部材５１が配置される。更に、図５（ａ）及び（ｂ）に示すように、封止部材５２の下方には、噴霧タンク５６Ｔを配置する。この噴霧タンク５６Ｔは、噴霧装置からノズル５６Ｎを分離した部分である。
【００５２】
図５（ｂ）及び（ｃ）に示すように、封止部材５２の上面であって、挿入部５３で囲まれた領域には、支持ベース５４ａ，５４ｂが交差して配置される。なお、図５（ａ）における一点鎖線は、挿入部５３の外形に対応する位置を示し、支持ベース５４ａ，５４ｂが係合する位置を示している。支持ベース５４ａ，５４ｂの両端は、下方に折れ曲がっており、挿入部５３に外嵌する。支持ベース５４ａ，５４ｂには、複数の係合孔が形成されている。支持ベース５４ａ，５４ｂの係合孔の位置を調整して係合させることにより、設置部材４０における支持ベース５４ａ，５４ｂの配置を変更することができる。支持ベース５４ａには、伸縮可能な取付板５５が立設される。取付板５５の下端部には、固定クリップ５５ａが固定される。この固定クリップ５５ａは、本実施形態では、支持ベース５４ａに取り付けられる。取付板５５は、上記第１実施形態の取付板１５と同様な構成を有する。
【００５３】
取付板５５の上端部には、複数のノズル５６Ｎが回動可能に取り付けられる。複数のノズル５６Ｎは、直線上で反対側に向いた方向にミストを噴霧する。このノズル５６Ｎは、噴霧装置１６から噴霧タンク５６Ｔを分離したものである。
【００５４】
図５（ｂ）に示すように、ノズル５６Ｎには、エアホース１７ａ及び薬液チューブ１８ａが接続される。エアホース１７ａは、封止部材５２に設けられたカプラ１７ｃ及びエアホース１７ｂを介して、コンプレッサ２１に接続される。薬液チューブ１８ａは、封止部材５２に設けられたカプラ１８ｃを介して、噴霧タンク５６Ｔに接続される。噴霧タンク５６Ｔは、薬液チューブ１８ｂを介して、薬液タンク２６に接続される。
【００５５】
次に、図５（ｄ）を用いて、固定部材５１の詳細について説明する。
固定部材５１は、上端部に設けたフック板５１ａと、下端部に設けたハンドル部５１ｃと、フック板５１ａ及びハンドル部５１ｃの端部に固定された軸部５１ｂとを備える。フック板５１ａは、点検口枠Ｆ４にまで延在する長さを有する係止部である。軸部５１ｂは、挿入部５３の角の内側において封止部材５２を貫通し、点検口枠Ｆ４の高さよりも長い。軸部５１ｂの封止部材５２の下面とハンドル部５１ｃの上面との間には、バネ５１ｓが配置されている。
【００５６】
除菌を行なう場合、まず、カート及びコンプレッサ２１を配置し、点検口を覆う点検扉を開口する。次に、図５（ａ）に示すように、支持ベース５４ａ，５４ｂを挿入部５３の上端部に係合させ、支持ベース５４ａに、取付板５５の固定クリップ５５ａを取り付けて、ノズル５６Ｎを設置部材５０に設置する。なお、支持ベース５４ａ、５４ｂは、設置するノズル５６Ｎの位置に応じて、挿入部５３の上端部を移動させて配置することができる。
【００５７】
その後、設置部材５０を押し上げて、ノズル５６Ｎを点検口に貫通させて天井裏に配置し、設置部材５０の挿入部５３を点検口に挿入する。図５（ｃ）に示すように、設置部材５０を更に押し上げて、封止部材５２を、天井板Ｃ４の下面に当接させる。
【００５８】
封止部材５２を、天井板Ｃ４の下面に当接させた状態で、図５（ｄ）の実線で示す固定部材５１のハンドル部５１ｃを把持して、バネ５１ｓを圧縮しながら固定部材５１を上方に押し上げる。そして、図５（ｄ）の２点鎖線で示すように、ハンドル部５１ｃを回転させることによりフック板５１ａを回転させて、点検口枠Ｆ４の上端部に係止させる。この場合、バネ５１ｓの復元力により、フック板５１ａは下方に押圧されるため、フック板５１ａは点検口枠Ｆ４に固定される。この結果、ノズル５６Ｎは天井裏に配置され、封止部材５２で点検口を封止された状態で、設置部材５０は点検口枠Ｆ４に固定される。
【００５９】
更に、図５（ｃ）に示すように、点検扉Ｄ４の係合部材側の天井と点検扉Ｄ４とを覆うように、シート部材Ｃ０又はゴム部材を配置する。そして、コンプレッサ２１を稼働させ、ノズル５６Ｎから薬液を噴霧して除菌を行なう。なお、ノズル５６Ｎから薬液が垂れた場合には、この薬液は、挿入部５３の内側で受け止められる。
【００６０】
本実施形態によれば、上記（１−３）、（１−４）、（３−４）と同様な効果に加えて、以下の効果を得ることができる。
（４−１）本実施形態では、設置部材５０は、ミストを噴霧するノズル５６Ｎを取り付けた封止部材５２と、封止部材５２に設けた固定部材５１とを備える。固定部材５１は、軸部５１ｂの上端に設けたフック板５１ａを備える。固定部材５１を上方に押し上げて回転させて、フック板５１ａを点検口枠Ｆ４の上面に係合させることにより、天井裏にノズル５６Ｎを配置するとともに、封止部材５２によって点検口を封止状態に保持することができる。
【００６１】
（４−２）本実施形態では、設置部材５０は、点検扉Ｄ４を取り外さずに、設置部材５０を点検口枠Ｆ４に固定する。これにより、点検扉Ｄ４を取り付けたまま、点検口を封止部材５２で封止することができる。
【００６２】
（４−３）本実施形態では、設置部材５０の封止部材５２に立設する取付板５５には、噴霧タンク５６Ｔと分離したノズル５６Ｎを取り付ける。これにより、天井裏に配管等の障害物が存在し隙間が小さい場合にも、その隙間にノズル５６Ｎを配置して、噴霧を行なうことができる。
【００６３】
（第５実施形態）
次に、図２及び図６を用いて、除菌装置を具体化した第５実施形態を説明する。上記第４実施形態では、噴霧装置のノズルのみを取り付けた取付板を封止部材に設けた。本実施形態では、噴霧装置のノズルのみを設けた取付板を備えるノズル設置部材を、封止部材と分離して取り付ける。また、本実施形態においても、第４実施形態と同様に、点検扉を取り外さずに除菌を行なう。
【００６４】
図６（ａ）は、本実施形態の設置部材６０の一部を分解した分解斜視図、図６（ｂ）は、設置部材６０の封止後の概略正面図、図６（ｃ）は、設置部材６０の要部の一部拡大断面側面図である。
【００６５】
本実施形態の設置部材６０は、ノズル設置部材６０ａと、封止設置部材６０ｂとを備える。ノズル設置部材６０ａと封止設置部材６０ｂとは、分離されており、それぞれ個別に、点検口枠Ｆ４に取り付ける。
【００６６】
ノズル設置部材６０ａは、磁性材料で構成された十字形状の支持ベース６４を備える。この支持ベース６４の４つの端部は、下方に折れ曲がっており、点検口枠Ｆ４に外嵌する。この支持ベース６４の上には、噴霧タンク６６Ｔが固定される。噴霧タンク６６Ｔに接続されるエアホース及び薬液チューブは、カプラ１７ｃ，１８ｃを介して封止設置部材６０ｂの封止部材６２を貫通し、エア分岐部及び薬液タンクに接続される。
【００６７】
更に、支持ベース６４には、取付棒６５が固定される。取付棒６５の底部には、ネオジウムマグネットが設けられる。このため、磁力により、取付棒６５を、支持ベース６４の上の任意の位置において安定して立設することができる。
【００６８】
図６（ａ）及び（ｂ）に示すように、取付棒６５の上端部には、複数（２つ）のノズル６６Ｎが上下において回動可能に取り付けられる。各ノズル６６Ｎは、噴霧装置１６から噴霧タンク６６Ｔを分離したものであり、回動することにより任意の方向にミストを噴霧する。なお、ノズル６６Ｎは、支持ベース６４及び取付棒６５により支持される。各ノズル６６Ｎには、エアホース１７ａ及び薬液チューブ１８ａが接続され、噴霧タンク６６Ｔから圧縮空気及び薬液が供給される。本実施形態では、噴霧タンク６６Ｔの液面から各ノズル６６Ｎ（ここでは上段のノズル６６Ｎ）までの高さＨ１を、ミスト噴霧量に影響しない所定高さ（例えば３０ｃｍ）以内に設定する。
【００６９】
更に、ノズルの上方には、湿度計６８が配置されている。この湿度計６８は、取付棒６５に、回動可能な取付部材を介して取り付けられる。
本実施形態の湿度計６８は、図２に示される制御部２８に接続され、計測した湿度（測定値）を制御部２８に供給する。更に、本実施形態では、制御パネル２９に、目標相対湿度に到達した場合に噴霧を停止する自動停止ボタンを設ける。制御部２８は、自動停止ボタンが選択された場合には、湿度計６８から取得した湿度が、目標相対湿度に到達したか否かを定期的に判定し、目標相対湿度に到達した場合には、各ノズル６６Ｎからの噴霧を停止する。
【００７０】
封止設置部材６０ｂは、複数の固定部材６１、封止部材６２及び複数の円筒部材６３を備える。
封止部材６２は、略長方形の板形状であって、点検口を覆う大きさを有する。この封止部材６２の一端部側には、点検扉Ｄ４が挿入可能な開口部６９が形成されている。封止部材６２の上面には、４つの円筒部材６３が固定される。この円筒部材６３は、封止部材６２の各角の近傍であって、点検口内に収容可能な位置に立設される。円筒部材６３は、その上端面が、点検口枠Ｆ４の高さよりもやや低くなる大きさを有する。
【００７１】
図６（ｃ）に示すように、固定部材６１は、上記第４実施形態の固定部材５１と同様に、フック板６１ａ、ハンドル部６１ｃ及び軸部６１ｂを備える。フック板６１ａは、軸部６１ｂの上端部に設けられ、点検口枠Ｆ４にまで延在する長さを有する係止部である。フック板６１ａは、点検口枠Ｆ４に掛止しない場合には、円筒部材６３の上面に掛止する。ハンドル部６１ｃは、軸部６１ｂの下端部に設けられる。軸部６１ｂは、円筒部材６３及び封止部材６２を貫通し、点検口枠Ｆ４の高さよりも長い。軸部６１ｂの封止部材６２の下面とハンドル部６１ｃの上面との間には、バネ６１ｓが配置されている。
【００７２】
本実施形態において、除菌を行なう場合には、カート及びコンプレッサ２１を配置し、点検扉を開口する。そして、図６（ａ）に示すように、噴霧タンク６６Ｔが予め固定されている支持ベース６４を傾斜させて点検口から挿入し、支持ベース６４の各端部を点検口枠Ｆ４の上端部に引っ掛ける。そして、ノズル６６Ｎ及び湿度計６８が付けられた取付棒６５を、天井裏の障害物を避けながら位置を調整して支持ベース６４に固定する。更に、取付棒６５の長さを調整して、ノズル設置部材６０ａの天井裏への設置が完了する。
【００７３】
その後、噴霧タンク６６Ｔに接続されているエアチューブのカプラ１７ｃ及び薬液チューブのカプラ１８ｃを、対応する封止部材６２のカプラ１７ｃ，１８ｃに接続する。そして、封止部材６２に設けられた開口部６９に点検扉Ｄ４を挿入するように、封止設置部材６０ｂを押し上げて、封止部材６２を天井板Ｃ４の下面に当接させる。
【００７４】
この状態で、ハンドル部６１ｃを把持して、フック板６１ａが点検口枠Ｆ４の上面より上方となるように、バネ６１ｓを圧縮しながら固定部材６１を押し上げる。そして、図６（ｃ）の２点鎖線で示すように、ハンドル部６１ｃを回転させることにより、フック板６１ａを回転させて点検口枠Ｆ４の上端部に掛止させる。これにより、封止設置部材６０ｂが固定され、ノズル設置部材６０ａの下方において封止部材６２が点検口を封止する。予め開口部６９の周囲に固定してあるシート部材Ｃ０（又はゴム部材）で、封止部材６２の開口部６９と点検扉Ｄ４との間の隙間を塞ぐことができる。その後、コンプレッサ２１を稼働させ、ノズル６６Ｎから薬液を噴霧して除菌を行なう。
【００７５】
本実施形態によれば、上記（１−３）、（４−１）及び（４−２）と同様な効果に加えて、以下の効果を得ることができる。
（５−１）本実施形態の設置部材６０は、ノズル６６Ｎを固定した支持ベース６４を備えたノズル設置部材６０ａと、ノズル設置部材６０ａと分離し封止部材６２を有する封止設置部材６０ｂとを備える。これにより、封止部材６２の設置に先立ってノズル６６Ｎを点検口枠Ｆ４に個別に設置することができるので、ノズル６６Ｎを、封止部材６２とは別に位置調整して配置することができる。
【００７６】
（５−２）本実施形態のノズル６６Ｎは、上下２段に配置され、各ノズル６６Ｎには、エアホース１７ａ及び薬液チューブ１８ａがそれぞれ接続される。このため、各ノズル６６Ｎの方向変更時に、エアホース１７ａ及び薬液チューブ１８ａが邪魔になり難く、各ノズル６６Ｎに圧縮空気と薬液とを円滑に供給することができる。
【００７７】
（５−３）本実施形態の各ノズル６６Ｎは、噴霧タンク６６Ｔの液面からの高さＨ１を、ミスト噴霧量に影響しない所定高さ以内に設定する。これにより、ノズル６６Ｎが噴霧タンク６６Ｔの液面から高くなるとミスト噴霧量が低減するが、ノズル６６Ｎの高さを所定高さ以内にすることにより、ミスト噴霧量の低減を抑えることができる。
【００７８】
（５−４）本実施形態では、封止部材６２に立設される円筒部材６３に固定部材６１の軸部６１ｂを貫通し、円筒部材６３の上面にフック板６１ａを係止する。これにより、円筒部材６３から点検口枠Ｆ４までの高さ分だけ固定部材６１を押し上げて回転させて、封止部材６２を固定することができる。
【００７９】
（５−５）本実施形態では、ノズル６６Ｎの上方に湿度計６８を設ける。これにより、ノズル６６Ｎの設置と同時に、天井裏に湿度計６８を設置することができる。
（５−６）本実施形態では、自動停止ボタンが選択されると、制御部２８は、湿度計６８において計測された湿度が目標相対湿度に到達した場合には、ノズル６６Ｎからの噴霧を停止する。これにより、湿度計により除菌を行なうために必要な湿度に到達したことを確認して噴霧を停止するので、薬液の噴霧を効率的に行なうことができる。
【００８０】
本実施形態は、以下のように変更して実施することができる。本実施形態及び以下の変更例は、技術的に矛盾しない範囲で互いに組み合わせて実施することができる。
・上記第１〜第４実施形態では、噴霧装置１６又はノズル５６Ｎを、天井裏の配管等の障害物より上に噴霧装置１６を配置する長さを有する取付板に取り付けた。噴霧装置１６又はノズル５６Ｎは、更に短い取付板を用いて設置部材に支持させてもよい。更に、封止部材の上に、複数種類の取付板を交換可能とする機構を介して設けた取付板に、噴霧装置１６又はノズル５６Ｎを支持させてもよい。
【００８１】
・上記第３〜第５実施形態においては、点検口を介して噴霧装置１６又はノズル５６Ｎ，６６Ｎを天井裏に配置し、設置部材４０，５０，６０を点検口枠Ｆ３，Ｆ４に係止させて封止部材４２，５２，６２で点検口を封止した。封止部材の封止状態を保持するために係合させる部材は、点検口枠Ｆ３，Ｆ４に限られず、点検扉等、他の天井点検口を構成する天井点検口構成部材であってもよいし、天井を構成する天井構成部材であってもよい。後者の場合には、第１実施形態の孔ｈ１を形成した天井板Ｃ１や第２実施形態のグリッド天井の格子に係止させて封止部材による封止状態を保持してもよい。
【００８２】
・上記第３実施形態においては、スライドフック４１を用いて設置部材４０を点検口枠Ｆ３に固定した。上記第４及び第５実施形態においては固定部材５１，６１を用いて設置部材５０，６０を点検口枠Ｆ４に固定した。設置部材を固定する天井点検口構成部材や天井構成部材に固定する構成は、これらに限定されない。例えば、孔を形成した天井板やグリッド状の野縁に、第３〜第５実施形態の設置部材（４０，５０，６０）を配置してもよいし、天井裏に配置された野縁Ｍｂ１に設置部材を固定してもよい。
【００８３】
・上記第３〜第５実施形態では、スライドフック４１及び固定部材５１，６１を点検口枠Ｆ３，Ｆ４に掛止させて、封止部材４２，５２，６２を固定して点検口を封止した。これらの構成においても、スライドフック４１及び固定部材５１，６１の代わりに、第１及び第２実施形態の支持棒１１を用いて、封止部材による点検口の封止状態を保持してもよい。更に、設置部材が備える支持材は、支持棒１１に限定されず、ジャッキ等であってもよい。
【００８４】
・上記第３実施形態においては、点検扉を取り外して設置部材４０を設置し、第４及び第５実施形態においては、点検扉Ｄ４を取り外さずに設置部材５０，６０を設置した。第３実施形態において点検扉を取り外さずに封止部材を設置してもよいし、第４及び第５実施形態において点検扉Ｄ４を取り外して封止部材を設置してもよい。
【００８５】
・上記第１〜３実施形態においては、天井裏に噴霧装置１６を配置し、第４及び第５実施形態においては、ノズル５６Ｎ，６６Ｎを噴霧タンク５６Ｔ，６６Ｔと分離して天井裏に配置した。天井裏に薬液を噴霧できる構成であれば、第１〜３実施形態においても、タンクとノズルとを分離して配置する構成としてもよい。
【００８６】
・上記第４実施形態においては、封止部材５２の上方にノズル５６Ｎを配置し、封止部材５２の下方に噴霧タンク５６Ｔを配置した。この場合においても、第５実施形態のように、噴霧タンク５６Ｔの液面からノズル５６Ｎまでの高さを、ミスト噴霧量に影響しない所定高さ以内に設定して、ミスト噴霧量の低減を抑える構成にしてもよい。
・上記第５実施形態において、封止部材６２の上面には、複数の円筒部材６３を立設した。更に、この封止部材６２の上面の中央に、滴下した薬液を受ける容器を取り付けてもよい。この場合、点検口枠Ｆ４に取り付けた支持ベース６４に当接しないように、点検口枠Ｆ４よりも低い容器にしてもよいし、支持ベース６４を避けるように複数の容器を設けてもよい。
【００８７】
・上記第５実施形態の設置部材６０は、天井裏の湿度を計測する湿度計６８をノズル６６Ｎの上方に設けた。この湿度計は、ノズル６６Ｎの上方に限らず、他の部分（例えば封止部材の上面等）に設けてもよいし、設置部材と別に設けてもよい。更に、上記各第１〜第４実施形態においても湿度計を設けてもよい。
また、第５実施形態では、制御部２８は、湿度計から計測した湿度が目標相対湿度になった場合に噴霧を停止した。これに限らず、制御部２８は、噴霧終了時間まで噴霧を行なった場合に、湿度計から取得した湿度に基づいて、天井裏が目標相対湿度を超えなかった場合には、目標相対湿度以上になるまで、薬液の噴霧を追加して実行してもよい。
【符号の説明】
【００８８】
Ｃ０…シート部材、Ｃ１，Ｃ２，Ｃ３，Ｃ４…天井板、Ｄ４…点検扉、Ｆ３，Ｆ４…点検口枠、ｈ１，ｈ２…孔、Ｍｂ１…野縁、１０，３０，４０，５０，６０…設置部材、１１…支持棒、１１ａ…台座、１２，３２，４２，５２，６２…封止部材、１３，３３…桶、１４…ドレイン、１５，４５，５５…取付板、１６…噴霧装置、１６Ｎ，５６Ｎ，６６Ｎ…ノズル、１７，１７ａ，１７ｂ…エアホース、１７ｃ，１８ｃ…カプラ、１８，１８ａ，１８ｂ…薬液チューブ、２０…除菌装置、２１…コンプレッサ、２５…エア分岐部、２６…薬液タンク、２７…流量計、２８…制御部、２９…制御パネル、４１…スライドフック、４１ａ…突出部、４３，５３…挿入部、４４ａ…取付部材、４４ｂ…スティ、５１，６１…固定部材、５１ａ，６１ａ…フック板、５１ｂ，６１ｂ…軸部、５１ｃ，６１ｃ…ハンドル部、５１ｓ，６１ｓ…バネ、５４ａ，５４ｂ，６４…支持ベース、５５ａ…固定クリップ、５６Ｔ，６６Ｔ…噴霧タンク、６０ａ…ノズル設置部材、６０ｂ…封止設置部材、６３…円筒部材、６５…取付棒、６８…湿度計、６９…開口部。
【図１】
2020151102.tif 000003
【図２】
2020151102.tif 000004
【図３】
2020151102.tif 000005
【図４】
2020151102.tif 000006
【図５】
2020151102.tif 000007
【図６】
2020151102.tif 000008